(57)【要約】【課題】  玉補給システム系のソレノイドの過熱を検出し、ソレノイドの過熱に起因する火災等の事故を防止するパチンコ機を提供する。【解決手段】  パチンコ玉（ＰＢ）の流れに外周爪(爪１１２ａ)が突出するスプロケット（１１２）と、スプロケットへの係脱により、スプロケットの回転を制御し、パチンコ玉の流れ数を制御するソレノイド（２０）とを備えてなるパチンコ機において、ソレノイドに駆動電流を供給する回路に、ソレノイドの温度に応じて駆動電流供給回路を切替える切替手段（サーモスタット２２）を備えた構成としてある。このようにすれば、駆動電流供給回路を保護抵抗器側にすることにより、ソレノイドへの大電流供給を防止することができる。【選択図】      図１
2005027970.tif 000002
【特許請求の範囲】
【請求項１】
パチンコ玉の流路に外周爪が突出するスプロケットと、このスプロケットの回転を制御して前記パチンコ玉の流れ数を制御するソレノイドと、このソレノイドに駆動電流を供給する駆動電流供給回路とを有したパチンコ機であって、
前記駆動電流供給回路から前記ソレノイドへ供給される前記駆動電流を低減又は停止する保護回路と、
前記ソレノイドの温度に応じて、前記ソレノイドと前記保護回路との接続／非接続を切替える切替手段とを備えた
ことを特徴とするパチンコ機。
【請求項２】
前記切替手段が、ラッチ機能付きのサーモスタットを備えた
ことを特徴とする請求項１記載のパチンコ機。
【請求項３】
前記保護回路が、前記ソレノイドへの前記駆動電流の供給を制限する電流制限手段を備えた
ことを特徴とする請求項１又は２記載のパチンコ機。
【請求項４】
前記パチンコ玉の玉詰まりを検出する玉詰まり検出手段を備え、
前記切替手段が、前記玉詰まり検出手段で玉詰まり状態が検出された場合に、前記非接続側へ切り替える
ことを特徴とする請求項１〜３のいずれかに記載のパチンコ機。
【請求項５】
前記切替手段により前記ソレノイドと前記保護回路とが接続されると警報を発する警報手段を備えた
ことを特徴とする請求項１〜４のいずれかに記載のパチンコ機。
【請求項６】
前記警報手段が警報を発する以前及び／又は発している間に、当該パチンコ機で遊技中の遊技客に対し、前記警報に関する事項を表示する表示手段を備えた
ことを特徴とする請求項５記載のパチンコ機。
【請求項７】
前記警報手段が警報を発する以前及び／又は発している間に、当該パチンコ機で遊技中の遊技客に対し、前記警報を発する旨又は発している旨を示す音声を出力する音声出力手段を備えた
ことを特徴とする請求項５又は６記載のパチンコ機。
【発明の詳細な説明】
【技術分野】
【０００１】
本発明は、パチンコ機に関し、特に、玉補給システム系のソレノイドの過熱を検出し、ソレノイドの過熱に起因する火災等の事故を防止するパチンコ機に関する。
【背景技術】
【０００２】
パチンコ機には、出玉を数えて払い出すカウンタ装置（補給カウンタ）が備えられている。
このカウンタ装置は、パチンコ玉の流れに係合するスプロケットと、このスプロケットの回転を制限するブレーキ機構と、このブレーキ機構を動作させるソレノイドとを備えている。この構成により、カウンタ装置においては、ソレノイドを１ショット動作させると、ブレーキ機構が外れてスプロケットが所定回転数だけ回転する。また、このブレーキ機構を外すことにより、例えば、１００個のパチンコ玉が落下するようになっている。
【０００３】
ところで、パチンコ玉の補給系において何らかのトラブル（例えば、玉詰まり）が発生した場合には、ソレノイドに電流が通電されっ放しになり、ソレノイドのコイルが過熱するおそれがある。
【０００４】
ここで、従来のパチンコ機の「玉補給システム系」を、図面を用いて説明する。
図４は、従来の玉補給システム系１００の構成図である。
図４に示すように、玉補給システム系１００は、パチンコホールの天井側に配設してある供給路１０１から各パチンコ機１２０ごとに、供給管１０２が配置されている。
なお、パチンコ機１２０には、各種の表示を行う表示部１２１が設けられている。
【０００５】
供給管１０２は、供給路１０１とパチンコ機１２０との間の高さ調整用の蛇腹１０３を介して補給カウンタ１１０に接続されている。
補給カウンタ１１０は、パチンコ機１２０に補給するパチンコ玉ＰＢを落下制御しながら、玉数をカウントする（後述）。
【０００６】
補給カウンタ１１０の下方には、落下してきた玉を受ける玉受け皿１０４が配置され、玉受け皿１０４から補給孔１０４ａを介してパチンコ機１２０にパチンコ玉ＰＢが補給される。玉受け皿１０４にはパチンコ玉ＰＢが空になったことを検知する空き皿スイッチ１０５が配置されている。空き皿スイッチ１０５は、空き皿状態を検知するとオンになり、ラッチ状態を継続する（図１において、後述）。
【０００７】
ここに、空き皿スイッチ１０５がオンになるということは、空き皿状態が検知されたことを意味する他、「玉詰まり」が発生したことを意味する。即ち、空き皿スイッチ１０５は、「玉詰まり検出スイッチ」でもある。
その理由は、供給路１０１には常時パチンコ玉ＰＢが流れており、「玉詰まり」が発生しなければ、玉受け皿１０４にはパチンコ玉ＰＢが常時充填されているからである。
【０００８】
補給カウンタ１１０は、通常、樹脂製のケースに納められており、該樹脂ケースの内部には、パチンコ玉ＰＢが落下していく落下管１１１と、スプロケット１１２と、ソレノイド１１３と、レバー１１４と、支点１１５とが配設されている。
【０００９】
スプロケット１１２の外周には、例えば１０個の爪１１２ａが突設され、落下してくるパチンコ玉ＰＢが爪１１２ａに係合し、スプロケット１１２を回転させる（スプロケットが自由回転の場合）。このスプロケット１１２の回転数をカウンタ（図示せず）が検出する(後述)。
【００１０】
ソレノイド１１３は、可動鉄片（プランジャ）１１３ａを備えている。この可動鉄片１１３ａは、制御部（図示せず）からの制御パルスにより上下駆動される。
可動鉄片１１３ａが吸引状態の場合には、レバー１１４が支点１１５を中心に（図４においては時計方向に）回動し、スプロケッ１１２の爪１１２ａとレバー１１４の係止爪１１４ａとの係止状態が解除される。この解除によりスプロケット１１２が自由回転可能となる。そして、スプロケット１１２の回転数をカウントすれば、落下してきたパチンコ玉ＰＢをカウントできる。
【００１１】
補給カウンタのソレノイドの制御に関する技術は、従来から種々提案されている。
例えば、パチンコ機でのゲームの進行中、管理装置が、パチンコ機の入玉情報を記憶部に蓄積し、この記憶部のデータに基づき演算部が賞球である出玉を算出する。ここで、出玉制御部が、賞球のある入玉があって演算部からの算出情報を得た場合にボールカウンタに出玉信号を送る。出玉信号を受けると、始期電圧が通電してソレノイドが解除動作し、解除動作の後は電圧を下げた継続電圧がソレノイドに通電して解除状態が継続する、というものがある（例えば、特許文献１参照。）。
【００１２】
また、他の制御方法としては、例えば、ソレノイドにより球の供給の開始してから、例えば２．５秒経過したかを判断し、供給数が２５個に達する以前であっても、２．５秒経過した際に、ソレノイドによる球の供給を一旦停止する。このため、２．５秒を越えて連続作動することがなくなるので、ソレノイドの発熱を予防でき、貸球ユニットを安全に使用することができる、というものがある（例えば、特許文献２参照。）。
【特許文献１】特公平６−３２６８５号公報（第２頁、第１図，第３図）
【特許文献２】特開２００１−２６９４６７号公報（第１−３頁、第７図）
【発明の開示】
【発明が解決しようとする課題】
【００１３】
しかしながら、図４に示した「供給管１０２から玉受け皿１０４まで」の玉落下経路においては、何らかの原因によりパチンコ玉ＰＢの玉詰まりが発生する場合があった。
この場合、ソレノイド１１３のコイル２１に電流が通電されたままとなり、該コイル２１が過熱してしまう。その結果、樹脂ケースが融けたり、燃え出したりし、最悪の場合には火災にすら発展するおそれがあった。
【００１４】
ここで、従来のパチンコ機（特許文献１や特許文献２に提案されている手段）を実施したとしても、前述のような玉詰まりに起因するソレノイドの過熱を検出することができなかった。従って、火災という最悪の事態に対しての備えが万全とは云えなかった。
【００１５】
本発明は、上記問題を解決するためになされたものであり、玉補給システム系のソレノイドの過熱を検出し、ソレノイドの過熱に起因する火災等の事故を防止するパチンコ機の提供を目的とする。
【課題を解決するための手段】
【００１６】
前記目的を達成するために請求項１記載のパチンコ機は、パチンコ玉（図１のＰＢ）の流路に外周爪(爪１１２ａ)が突出するスプロケット（１１２）と、このスプロケットの回転を制御してパチンコ玉の流れ数を制御するソレノイド（２０）と、このソレノイドに駆動電流を供給する駆動電流供給回路（例えば、＋２４Ｖ）とを有したパチンコ機であって、駆動電流供給回路からソレノイドへ供給される駆動電流を低減又は停止する保護回路（保護抵抗器４１）と、ソレノイドの温度に応じて、ソレノイドと保護回路との接続／非接続を切替える切替手段（サーモスタット２２）とを備えた構成としてある。
【００１７】
このようにすれば、例えば図１において、玉詰まり検出機能を有する空き皿スイッチ（玉詰まり検出手段）１０５が玉詰まりを検出した場合に、空き皿スイッチ接点１０５ａがオン状態にラッチする。さらに、ソレノイド駆動接点３１がオンすると、ソレノイド２０への電流供給経路は、＋２４Ｖ→コイル２１→サーモスタット２２の常温側接点２２ａ→空き皿スイッチ接点１０５ａ→ソレノイド駆動接点３１→アースとなる（経路１）。
【００１８】
この経路１の電流供給経路により、ソレノイド２０のコイル２１がやがて過熱状態になる。過熱温度が、例えば７０℃になると、サーモスタットの切替接片２２ｃが高温側接点２２ｂ側に切り替わり、ラッチされる。このラッチにより電流供給経路は、次に示す経路２となる。
経路２：＋２４Ｖ→コイル２１→サーモスタット２２の高温側接点２２ｂ→保護抵抗器４１→アース。
【００１９】
この経路２では、保護抵抗器４１によりコイル２１に流れる電流が制限され、コイル２１の温度は下がり、過熱状態を脱する。
従って、パチンコホール内の玉補給システム系の玉詰まりトラブルに伴う、補給カウンタのソレノイドの焼損，コイル断線，樹脂ケースの焼損を防止できるので、パチンコホールへの金銭的負担を皆無にできる。また、火災を防ぐことができる。
【００２０】
また、請求項２記載のパチンコ機は、切替手段は、ラッチ機能付きのサーモスタット（２２）である構成としてある。
このようにすれば、請求項１で説明したように、過熱状態の発生履歴を維持し（即ち、高温側接点２２ｂ側にラッチする）、この維持によりソレノイド２０への電流供給を制限することができる。
【００２１】
また、請求項３記載のパチンコ機は、切替手段（サーモスタット２２）により切替えた後の駆動電流供給回路には、ソレノイド（２０）への電流供給を制限する電流制限手段（保護抵抗器４１）を備えた構成としてある。
このようにすれば、請求項１で説明したように、ソレノイド２０のコイル（２１）への電流供給は制限されるので、ソレノイド２０の過熱を防止できる。
【００２２】
また、請求項４記載のパチンコ機は、パチンコ玉の玉詰まりを検出する玉詰まり検出手段を備え、切替手段（サーモスタット２２）が、玉詰まり検出手段（空き皿スイッチ接点１０５ａ）で玉詰まり状態が検出された場合に、非接続側へ切り替える構成としてある。
【００２３】
このようにすれば、図１において、玉詰まりが発生した場合には、空き皿スイッチ接点１０５ａがオン状態でラッチされる。このラッチ状態により、請求項１で説明したように、前記経路１から経路２に切り替わり、ソレノイド２０の過熱を防止できる。
【００２４】
また、請求項５記載のパチンコ機は、切替手段（サーモスタット２２）によりソレノイドと保護回路とが接続されると警報を発する警報手段（警報器４２）を備えた構成としてある。
このようにすれば、例えば図２に示すように、警報器４２の前にタイマー４３を設けておき、切替手段（サーモスタット２２）が切り替わっても直ぐには警報器を鳴らさないようにする。そして、タイマーが作動するまでの間に（例えば、５秒間）、例えば図３に示すように、ユーモアに富んだ警報予告コメントを予告し、遊技客が突然の警報（ブザー鳴動等）により、ビックリすることが無いようにすることができる。
【００２５】
また、請求項６記載のパチンコ機は、警報手段（警報器４２）が警報を発する以前及び／又は発している間に、当該パチンコ機で遊技中の遊技客に対し、警報に関する事項を表示する表示手段を備えた構成としてある。
【００２６】
このようにすれば、遊技客は目の前であり、且つ絶えず注視している表示部１２１に警報を発する旨の通知（警報予告コメント）が表示されるので、遊技客が警報予告コメントを見逃す確率は極めて低い。よって、遊技客がブザー等の突然の鳴動でビックリするのを防止できる。
【００２７】
また、請求項７記載のパチンコ機は、警報手段が警報を発する以前及び／又は発している間に、当該パチンコ機で遊技中の遊技客に対し、警報を発する旨又は発している旨を示す音声を出力する音声出力手段を備えた構成としてある。
このようにすれば、表示部１２１への警報予告コメントを見逃した遊技客に対しても、音声により警報予告コメントを伝えることができる。
【発明の効果】
【００２８】
以上説明したように本発明によれば、以下の効果を発揮することができる。
請求項１記載のパチンコ機によれば、ソレノイドに駆動電流を供給する回路に、該ソレノイドの温度に応じて駆動電流供給回路を切替える切替手段を備えた構成としてあるので、例えば図１に示すように、駆動電流供給回路を保護抵抗器側にすることにより、ソレノイドへの大電流供給を防止することができる。従って、ソレノイドの温度を低下させることができる。
【００２９】
また、請求項２記載のパチンコ機によれば、切替手段として、ラッチ機能付きのサーモスタットとしているので、過熱状態の発生履歴を維持することができる。
さらに、請求項３記載のパチンコ機によれば、切替手段により切替えた後の駆動電流供給回路には、ソレノイドへの電流供給を制限する抵抗器を備えた構成としてあるので、ソレノイドのコイルへの電流供給は制限され、ソレノイドの過熱を防止できる。
【００３０】
そして、請求項４記載のパチンコ機によれば、パチンコ玉の玉詰まりを検出する玉詰まり検出手段を備え、該玉詰まり検出手段が検出した玉詰まり状態の場合に、切替手段を切り替える構成としてあるので、例えば図１において、電流供給回路がソレノイドへの電流が小さくなる側に切り替わり、ソレノイドの過熱を防止できる。
【００３１】
また、請求項５記載のパチンコ機によれば、警報手段を備えたので、この警報手段によりパチンコ機の異常を知らされたパチンコホールの店員が、過熱防止対策（例えば、玉詰まり状態の解消）を実施することができる。
【００３２】
さらに、請求項６記載のパチンコ機によれば、警報手段が警報を発する以前や発している間に、当該パチンコ機で遊技中の遊技客に対して、警報を発する旨の通知を当該パチンコ機の表示部に表示する構成としてあるので、遊技客は目の前であり、且つ絶えず注視している表示部に警報を発する旨の通知が表示されるため、遊技客が見逃す確率は極めて低い。よって、遊技客がブザー等の鳴動でビックリするのを防止できる。
【００３３】
そして、請求項７記載のパチンコ機によれば、警報を発する旨の通知は、音声による構成としてあるので、表示部への警報予告コメントを見逃した遊技客に対しても、音声により警報予告コメントを伝えることができる。
【発明を実施するための最良の形態】
【００３４】
玉補給システム系のソレノイドの過熱に起因する火災等の事故を防止するという目的を、そのソレノイドの過熱を自動検出して、所定時間、駆動電流の低減・停止を図ることで実現した。
【実施例１】
【００３５】
以下、本発明に係るパチンコ機を実施するための最良の実施形態について、図面を参照して説明する。
まず、本発明に係るパチンコ機の実施形態について、図１を参照して説明する。
同図は、本実施形態に係るパチンコ機に付接されている加熱警報システムの構成図である。なお、既に説明済みの箇所には同一符号を付し、重複説明を省略する。
【００３６】
同図に示すように、本実施形態のパチンコ機における過熱警報システムＫＳは、補給カウンタ１０と、ソレノイド２０と、駆動接点部３０と、警報制御部４０とを備えている。
補給カウンタ１０は、通常、樹脂製のケースに納められており、新規構成のソレノイド２０と、従来例(図４参照)と同一の落下管１１１と、例えば１０個の爪（外周爪）１１２ａを備えたスプロケット１１２と、係止爪１１４ａを備えたレバー１１４と、支点１１５とが配設されている。
なお、本実施形態において「パチンコ玉の流路」には、落下管１１１，供給管１０２，蛇腹１０３のうち一又は二以上が含まれる。
【００３７】
ソレノイド２０は、コイル２１と、ラッチ機能付きのサーモスタット２２とを備え、コイル２１の内部には可動鉄片（プランジャ）１１３ａが配置されている。
コイル２１には、駆動電流供給回路（図示せず）から直流電圧（駆動電流）が供給される。この駆動電流は、例えば、＋２４Ｖとすることができる。こうしてコイル２１に通電することにより可動鉄片１１３ａが吸引される。
【００３８】
サーモスタット２２は、常温側接点２２ａと高温側接点２２ｂと切替接片２２ｃとを備え、常温（パチンコホールの室内温度、例えば２５℃前後）では、切替接片２２ｃは常温側接点２２ａにオンしている。そして、高温（例えば、７０℃）になると切替接片２２ｃが高温側接点２２ｂにオンし、ラッチ機能によりこのオン状態を継続する。
【００３９】
駆動接点部３０は、ソレノイド駆動接点３１と、空き皿スイッチ接点１０５ａとを有しており、これらは直列接続されている。
ソレノイド駆動接点３１は、ソレノイド駆動制御回路（図示せず）から発せられた所定時間幅のパルスによりリレー（ソレノイド駆動リレー、図示せず）がオンし、その所定時間だけソレノイド駆動接点３１がオンする。
なお、ソレノイド駆動接点３１は、ホールコンピュータからの信号により駆動することができる。ソレノイド駆動接点３１の使用部品としては、トランジスタを用いることができる。
【００４０】
空き皿スイッチ接点１０５ａは、空き皿スイッチ１０５で玉受け皿１０４のパチンコ玉ＰＢが空になった状態が検知されると、その空き皿スイッチ１０５の動作・制御にもとづいてオンする。
空き皿スイッチ１０５は、玉受け皿１０４のパチンコ玉ＰＢが空になった状態を検知し、検知後はラッチ状態になり、空き皿スイッチ接点１０５ａをオンさせる。
【００４１】
ソレノイド駆動接点３１と空き皿スイッチ接点１０５ａとの双方がオンすると、コイル２１と常温側接点２２ａと空き皿スイッチ接点１０５ａとソレノイド駆動接点３１とを通って直流電流が流れる。コイル２１に所定時間だけ直流電流が流れ、可動鉄片１１３ａを吸引する。この所定時間の吸引によりレバー１１４の係止爪１１４ａの係止が開放され、一定個数（例えば、１００個）のパチンコ玉ＰＢが玉受け皿１０４に落下する。
【００４２】
この通電によりコイル２１の温度が上昇し、やがて例えばコイル２１が７０℃を越えると、サーモスタット２２の切替接片２２ｃが高温側接点２２ｂ側に切り替わる。
【００４３】
すると、直流電流はコイル２１と高温側接点２２ｂと保護抵抗器４１を介して流れ、例えばブザーからなる警報器４２を鳴動させる。
この鳴動をパチンコホールの従業員が聴き取り、そのパチンコ機の電源供給を停止する等の安全処置を行う。
【００４４】
警報制御部４０は、保護抵抗器４１と、警報器４２とを有している。
保護抵抗器（保護回路、電流制限手段）４１は、駆動電流供給回路（例えば、＋２４Ｖ）からソレノイド２０へ供給される駆動電流を低減又は停止するための抵抗回路である。
なお、保護回路は、例えば、サーミスタ式としてロジックを組むこともできる。
警報器（警報手段）４２は、コイル２１が過熱していることをパチンコホールの従業員に知らせるために警報を発する器具であって、例えば、ブザーなどで構成できる。
【００４５】
なお、警報制御部４０には、図３に示すように、さらにタイマー４３を設けることができる。
タイマー４３は、サーモスタット２２の切替接片２２ｃが常温側接点２２ａから離れて高温側接点２２ｂの方に接したとき（高温側接点２２ｂがオンになったとき）に、計時を開始する。そして、所定の時間が経過すると、信号を出力する。警報器４２は、このタイマー４３からの信号を受け取ると、警報を発する。
【００４６】
次に、補給カウンタや過熱警報システムの動作について説明する。
通常、サーモスタット２２の切替接片２２ｃは、常温側接点２２ａに接している。つまり、常温側接点２２ａがオンとなっており、高温側接点２２ｂはオフとなっている。
この状態で、駆動接点部３０のソレノイド駆動接点３１と空き皿スイッチ接点１０５ａとの双方がオンになると、駆動電流供給回路（図示せず）からコイル２１へ電流が供給され、電磁力により可動鉄片１１３ａが吸引される。
【００４７】
この可動鉄片１１３ａの吸引が行われると、レバー１１４が支点１１５を軸として回動する。これにより、係止爪１１４ａが、それまで係止していたスプロケット１１２の爪１１２ａから外れるため、スプロケット１１２は、自由に回転可能な状態となる。
そうすると、供給管１０２内をパチンコ玉ＰＢが落下することで爪１１２ａが次々押し下げられてスプロケット１１２が回転する。この回転にもとづいてカウンタ（図示せず）がパチンコ玉の供給数をカウントする。
【００４８】
ここで、供給管１０２内で玉詰まりが発生すると、パチンコ玉ＰＢが落下しなくなる。このため、スプロケット１１２が回転せず、カウンタ（図示せず）におけるカウント値が加算されなくなる。このため、ソレノイド２０では、駆動電流供給回路（図示せず）からコイル２１に電流が供給され続け、コイル２１は過熱する。
この過熱温度が所定温度に達すると、サーモスタット２２の切替接片２２ｃが常温側接点２２ａから高温側接点２２ｂへ切り替わる。つまり、常温側接点２２ａがオフとなっており、高温側接点２２ｂはオンとなる。
【００４９】
そうすると、高温側接点２２ｂに接続された保護抵抗器４１の抵抗により、コイル２１に流れる電流が低減される。この電流の低減により、可動鉄片１１３ａは復帰し（吸引とは逆の方向へ移動し）、レバー１１４が回動し、係止爪１１４ａがスプロケット１１２の爪１１２ａを係止してスプロケット１１２の回転を停止する。
また、コイル２１に流れる電流が低減されることで、そのコイル２１の温度が低下する。そして、コイル２１の温度が所定の温度以下に低下すると、サーモスタット２２の切替接片２２ｃが高温側接点２２ｂから常温側接点２２ａへ切り替わり、これにより、正常な状態に復帰する。
【００５０】
ところで、パチンコ機１２０が玉詰まりを起こす場合には、そのパチンコ機１２０では遊技客が遊技中である可能性が極めて高い。しかし、遊技客にしてみれば、玉詰まりの発生に気付かない場合もある。この気付かない状態で玉詰まりによる警報ブザーがいきなり鳴動したのでは、遊技客を驚かせてしまう。
【００５１】
そこで、図２に示すように、高温側接点２２ｂと警報器４２との間にタイマー４３を介在させ、高温側接点２２ｂ側に切り替わった後、例えば５秒後に警報器４２が鳴動するようにしておく。そして、高温側接点２２ｂがオンしたら、直ちにパチンコ機１２０の表示部（表示手段）１２１に警報予告コメントを表示する。
【００５２】
この警報予告コメントとしては、図３に示すように、例えば「働きすぎちゃった。ちょっと待ってね。今、ブザーを鳴らすから」というような、遊技客にブザーを鳴らすということを予め通知するようにすればよい。このようにすれば、遊技客はユーモラスな警報予告コメントを視認するので、ブザーが鳴動してもビックリすることがない。
【００５３】
また、警報器４２が警報を発する以前あるいは発している間に、このパチンコ機で遊技中の遊技客に対し、警報に関する旨を示す音声を音声出力手段（図示せず）に出力させることもできる。
このようにすれば、表示部１２１への警報予告コメントを見逃した遊技客に対しても、音声により警報予告コメントを伝えることができる。
【産業上の利用可能性】
【００５４】
玉補給システム系のソレノイドの過熱をサーモスタットで自動検出して、駆動電流の低減・停止可能な回路への自動切り替えを行うことで、ソレノイドの過熱に起因する火災等の事故を防止する。
【図面の簡単な説明】
【００５５】
【図１】本発明のパチンコ機における過熱警報システム構成を示す構成概略図である。
【図２】図１の過熱警報システムにおける警報制御部の他の構成を示す構成概略図である。
【図３】表示部に表示する警報予告コメントの例を示す図である。
【図４】従来のパチンコ機における玉補給システム系の構成を示す構成概略図である。
【符号の説明】
【００５６】
ＫＳ  過熱警報システム
ＰＢ  パチンコ玉
１０  補給カウンタ
２０  ソレノイド
２１  コイル
２２  サーモスタット
２２ａ  常温側接点
２２ｂ  高温側接点
２２ｃ  切替接片
３０  駆動接点部
３１  ソレノイド駆動接点
４０  警報制御部
４１  保護抵抗器
４２  警報器
４３  タイマー
１００  玉補給システム系
１０１  供給路
１０２  供給管
１０３  蛇腹
１０４  玉受け皿
１０４ａ  補給孔
１０５  空き皿スイッチ
１０５ａ  空き皿スイッチ接点
１１０  補給カウンタ
１１１  落下管
１１２  スプロケット
１１２ａ  爪
１１３  ソレノイド
１１３ａ  可動鉄片
１１４  レバー
１１４ａ  係止爪
１１５  支点
１２０  パチンコ機
１２１  表示部
【図１】
2005027970.tif 000003
【図２】
2005027970.tif 000004
【図３】
2005027970.tif 000005
【図４】
2005027970.tif 000006